(57)【要約】      （修正有）【課題】ネクタイを皺や折り目がつかないように収容して携行することのできるコンパクトで便利なネクタイケースを提供すること。【解決手段】展開状態では概略長方形であるが、その長手方向中央部で二つ折り可能に形成された箱体からなり、二つ折り状態でその周壁７の開口縁部同士を互いに重ね合わせて結合することのできるファスナーが設けられ、底板５の一方の端部付近には、ネクタイ２０の端部を前記底板との間で挟持するゴムベルト１５が設けられるとともに、他方の端部付近には、基部が左右の周壁もしくは底板に固定された一対のベルト片１６ａ、１６ａの自由端部同士を面ファスナー１７で結合することによりネクタイの中間部を底板との間で挟持することのできる開閉自在な押えベルトが設けられているネクタイケース。【選択図】図３
2008222247.tif 000002
【特許請求の範囲】
【請求項１】
底板と、該底板の周囲を囲む周壁とを有し、展開状態では概略長方形であるが、その長手方向中央部に設けられた折り曲げ部で二つ折り可能に形成された箱体からなり、前記周壁の上縁部には、前記二つ折りの状態で周壁の上縁部同士を重ね合わせて結合することのできる開閉自在なファスナーが設けられるとともに、前記底板の一方の端部付近には、ネクタイの端部を前記底板との間で挟持するゴムベルトが設けられ、他方の端部付近には、基部が左右の周壁もしくは底板に固定された一対のベルト片からなり該一対のベルト片の自由端部に設けられたファスナーによって該自由端部同士を互いに結合することにより１本のベルトとなってネクタイの中間部を底板との間で挟持することのできる開閉自在な押えベルトが設けられていることを特徴とするネクタイケース。
【請求項２】
周壁同士を結合するファスナーがスライドファスナーである請求項１に記載のネクタイケース。
【請求項３】
前記押えベルトを構成するベルト片の自由端部に設けられたファスナーが面ファスナーである請求項１又は２に記載のネクタイケース。
【発明の詳細な説明】
【技術分野】
【０００１】
本発明は、ネクタイをコンパクトに畳んで保持することのできるネクタイケースに関するものである。
【背景技術】
【０００２】
旅行等で予備のネクタイを携行する場合に、ネクタイを鞄やバッグに直接入れると皺や折り目がつくので、これを防ぐため種々の工夫がなされている。これらの中には、例えば下記特許文献１乃至６に開示されているものがある。
【０００３】
【特許文献１】登録実用新案第３０５３７２１号公報
【特許文献２】実開平５−７６８３号公報
【特許文献３】特開平９−８６５８１号公報
【特許文献４】特開２００２−２９５８４号公報
【特許文献５】特許第２５８８８５０号公報
【特許文献６】特開平７−１６５７９号公報
【０００４】
上記特許文献１に記載のものは、ネクタイを挿入する挿入口とネクタイを取り出す取り出し口とを備えたネクタイケース本体に、ネクタイを二つ折りして保持させたガイド部材を挿入するものである。上記特許文献２に記載のものは、二重乃至四重に折り畳んだネクタイを吊り下げるバーと、該バーを挿入できるケース本体とを有するものである。上記特許文献３に記載のものは、ネクタイを交互に向きを変えて並列に収容することができるように、傾斜させた仕切り板を内部に設けたケースに複数のネクタイを並べて入れ、このケースを外箱に収納するものである。上記特許文献４に記載のものは、ネクタイ巻付け用芯板に巻き付けたネクタイを該芯板ごとケース本体の開口部から挿入し、該開口部をファスナー等で閉じるようにしたものである。
【０００５】
さらに、上記特許文献５及び６に記載のものは、円筒状の収納本体と、該収納本体の軸芯に一致する巻付け用棒を備えた蓋体とを備え、前記巻付け用棒にネクタイを巻き付けた状態で円筒状収納本体内に収納するものである。
【発明の開示】
【発明が解決しようとする課題】
【０００６】
しかしながら、上記特許文献１乃至４に記載のものは、ネクタイを直接保持する部材と、ネクタイを保持させた当該部材を他の箱体に収納するものであるから、少なくとも二つの構成部品が必要であり、しかも収納に手間がかかるという問題点があった。また、上記特許文献５及び６に記載のものは、円筒状のケース内にネクタイを巻いた状態で収納するものであるから、厚み（円筒の外径）が大きくなるという問題点があるほか、構造的にも複雑であった。
【０００７】
そこで本発明は、構造的に簡単で、ネクタイの収納や取り出しを簡単に行うことのできるコンパクトなネクタイケースを提供することを課題としている。
【課題を解決するための手段】
【０００８】
上記課題を解決するため、本発明は次のような構成を採用した。すなわち、請求項１に記載のネクタイケースは、底板と、該底板の周囲を囲む周壁とを有し、展開状態では概略長方形であるが、その長手方向中央部に設けられた折り曲げ部で二つ折り可能に形成された箱体からなり、前記周壁の上縁部には、前記二つ折りの状態で周壁の上縁部同士を重ね合わせて結合することのできる開閉自在なファスナーが設けられるとともに、前記底板の一方の端部付近には、ネクタイの端部を前記底板との間で挟持するゴムベルトが設けられ、他方の端部付近には、基部が左右の周壁もしくは底板に固定された一対のベルト片からなり該一対のベルト片の自由端部に設けられたファスナーによって該自由端部同士を互いに結合することにより１本のベルトとなってネクタイの中間部を底板との間で挟持することのできる開閉自在な押えベルトが設けられていることを特徴としている。
【０００９】
また、請求項２に記載のネクタイケースは、上記請求項１に記載のネクタイケースにおいて、周壁同士を結合するファスナーがスライドファスナーであるものである。さらに、請求項３に記載のネクタイケースは、上記請求項１又は２に記載のネクタイケースにおいて、前記押えベルトを構成するベルト片の自由端部に設けられたファスナーが面ファスナーであるものである。
【発明の効果】
【００１０】
本発明に係るネクタイケースは、展開、折り畳み可能な単一の箱体からなり、その内部に二つ折りしたネクタイの両端部をそれぞれベルトで挟持することにより固定するものであるから、構造的に簡単でコンパクトな構成とすることができる。また、ネクタイを皺や折り目がつかないようにしっかりと保持することができるとともに、ネクタイの出し入れもきわめて簡単である。
【発明を実施するための最良の形態】
【００１１】
以下本発明の実施形態について、具体的に説明する。図１以下の各図は、本発明に係るネクタイケースの１例を表すもので、このネクタイケース１は、展開、折り畳み可能な箱箱体として形成されている。すなわち、このネクタイケース１は、箱本体２を備えていて、この箱本体２は、展開状態において、図１に示すように、概略長方形の箱体であり、その内部に底板５が設けられ、該底板５の周囲を取り囲む所定高さの周壁７が設けられている。
【００１２】
箱本体２、底板５、周壁７等は、ある程度の硬度と剛性を有する合成樹脂材料等の素材で作られるが、箱本体２の外皮部や周壁７は、底板５よりも柔軟な合成樹脂材料、例えば、いわゆるメッシュボンデイング素材等で構成するのが好ましい。
【００１３】
底板５は、長手方向の中央部にフレキシブルな折り曲げ部１０が設けられており、図２に示すように、この折り曲げ部１０で二つ折りに折り畳むことができるようになっている。一方、前記周壁７の上縁部には、ほぼ全周にわたってスライドファスナー１２の歯列が設けられている。このスライドファスナー１２は、図２に示すように、箱本体２を前記折り曲げ部１０で二つ折りした状態で、重なり合った周壁７の上縁部同士を互いに結合することにより、箱本体２を閉状態とすることができる開閉手段となっている。この開閉手段としては、図示例のようなスライドファスナーを用いるのが最も便利であるが、場合によっては、ボタンやスナップファスナー、面ファスナー等を用いることができる。
【００１４】
箱本体２の内側の長手方向における一方の端部付近には、ゴムベルト１５が設けられている。このゴムベルト１５は、その両側の端部が両側の周壁７の内面付近（周壁もしくは底板）にそれぞれ固着されていて、ネクタイを入れていない空の状態では、底板５に弾力的に接触している。箱本体２の幅が広い場合は、ゴムベルト１５の端部は、底板に固着してもよい。
【００１５】
また、箱本体２の内側の他方の端部付近には、押えベルト１６が設けられている。押えベルト１６は、左右一対のベルト片１６ａ，１６ａからなり、これらベルト片は、基部がそれぞれの側の周壁７付近（周壁もしくは底板）に固着され、自由端部には結合手段として面ファスナー１７が取り付けられている。両ベルト片１６ａ，１６ａは、それぞれの先端部に取り付けられた面ファスナー１７を互いに係着させることにより、１本のベルトとすることができる。なお、結合手段としては、図示例のような面ファスナー１７を使用するのが便利であるが、場合によってはボタンやスナップファスナーを用いてもよい。また、押えベルト１６を前記ゴムベルト１５と同じように一つの弾性ベルトとして形成することも可能である。このようにしておけば、ネクタイを収納するときに当該ネクタイを押えベルト１６の下側に挿通する手間がかかるが、構造的には簡単である。
【００１６】
このネクタイケース１を使用する場合は、箱本体２を図１に示すように展開し、図３に示すようにネクタイ２０の一部（半分）を収納する。この時、ネクタイの一方の端部（図示例では細幅側の端部）を上記ゴムベルト１５と底板５との間に挿入する。こうすることにより、ネクタイの一方の端部が底板５に固定される。
【００１７】
つぎに、上記一方の端部を固定したネクタイの中間部を押えベルト１６で固定する。この固定は、両側のベルト片１６ａ，１６ａの自由端部をそれぞれネクタイ２０の上面に引き寄せ、結合手段である面ファスナーで互いに結合することにより行う。押えベルト１６もゴムベルト１５と同じような構成にしておく場合は、ネクタイをこのベルトの下側に挿入する。
【００１８】
ネクタイ２０の一方の端部と中間部をゴムベルト１５と押えベルト１６で図３に示すようにそれぞれ固定したら、箱本体２の外側へ突出している部分（幅広の剣先側）を内側へ折り曲げて、図４に示すように、固定されている部分上に重ね合わせる。この場合、折り曲げた先端部をゴムベルト１５の下側にくぐらせて固定してもよいが、通常は折り畳んでゴムベルト１５上に重ね合わせるだけでよい。
【００１９】
しかるのち、箱本体２をネクタイごと折り曲げて、二つ折り状態とし、前記開閉手段であるスライドファスナー１２で周囲のファスナー同士を互いに係着させて、二つ折した箱本体２の周囲を閉じる。これにより、ネクタイ２０が二つ折状態でネクタイケース１内にきちんと保持される。
【００２０】
このネクタイケース１は、二つ折したネクタイ２０の一方の端部と中間部とを箱本体２の底板５にゴムベルト１５と押えベルト１６とで固定するものであり、一方のゴムベルト１５は弾力的にネクタイ２０を押えて固定するとともに、他方の押えベルト１６は、先端部同士の結合時に十分に引き締めて固定することができるので、ネクタイの位置ズレが生じにくい。このため、皺の発生を防止できる。また、ネクタイ２０を二つ折して保持するものであるが、箱本体２の幅と厚みを適当なものとすることにより、折り畳んだネクタイの上側の部分が移動しにくく、かつ折り曲げた部分に折り目がつかない程度に押えることができるものとすることができる。
【００２１】
なお、図示例のネクタイケース１は、１本のネクタイ２０を二つ折して収容するものであるが、２枚以上のネクタイを重ねた状態で同様に折り曲げて収容するようなケースとすることもできる。通常の旅行では、予備のネクタイは１〜２本で十分であるから、１〜２本を収容できる大きさとしておけばよい。また、ネクタイは二つ折状態で収容するのが実用的であるが、場合によっては、三つ折りないし四つ折りで保持するようにしてもよい。例えば三つ折りの場合は、ゴムベルト１５で固定する端部と、該ゴムベルトの位置で折り返す部分とを共にゴムベルト１５の下側に通すのが安定上好ましい。
【産業上の利用可能性】
【００２２】
本発明に係るネクタイケースは、合成樹脂材料等を用いて工業生産的に製造することができ、旅行用品の分野の製品として実用化するに適したものである。
【図面の簡単な説明】
【００２３】
【図１】ネクタイケースの開状態を表す斜視図である。
【図２】その閉状態を表す斜視図である。
【図３】使用法の説明図である。
【図４】使用法の説明図である。
【符号の説明】
【００２４】
１      ネクタイケース
２      箱本体
５      底板
７      周壁
１０      折り曲げ部
１２      スライドファスナー
１５      ゴムベルト
１６      押えベルト
２０      ネクタイ
【図１】
2008222247.tif 000003
【図２】
2008222247.tif 000004
【図３】
2008222247.tif 000005
【図４】
2008222247.tif 000006